(57)【特許請求の範囲】
【請求項１】
第１の記録媒体上の記録開始点から記録する日時順に、記録日時に関する情報を付随させた記録情報を上記第１の記録媒体に記録する第１の情報記録手段と、
上記記録情報を記録するための記録容量が上記第１の記録媒体に残存しているか否かを判断する記録容量判断手段と、
上記第１の記録媒体から、記録日時が最も古い記録情報を検出する最古情報検出手段と、
上記第１の情報記録手段により上記第１の記録媒体に記録された記録情報に対する消去の回避を指定する消去回避手段と、
上記最古情報検出手段により検出された記録日時が最も古い記録情報に対して、上記消去回避手段により消去の回避が指定されているとき、当該記録情報の記録日時を最新の日時に変更する記録日時変更手段と、
上記第１の記録媒体に新たな記録情報を記録させるときに、上記記録容量判断手段により上記第１の記録媒体には上記記録容量が残存していないと判断された場合には、上記第１の記録媒体上の記録日時が最も古い記録情報が記録された記録領域に、新たな記録情報を記録する制御をする記録制御手段とを備える記録再生装置。
【請求項２】
上記第１の情報記録手段により上記第１の記録媒体に記録された記録情報に対する消去の禁止を指定する消去禁止手段を更に備え、
上記記録制御手段は、上記消去禁止手段により指定された記録情報以外の記録情報が記録された上記第１の記録媒体上の記録領域の記録日時が最も古い記録情報が記録された記録領域に、新たな記録情報を記録するように上記第１の情報記録手段を制御する請求項１記載の記録再生装置。
【請求項３】
第２の記録媒体に記録情報を記録する第２の情報記録手段と、
上記消去禁止手段により指定された記録情報に対する消去の禁止を解除する指定解除手段とを更に備え、
上記記録制御手段は、上記第１の記録媒体に新たな記録情報を記録させるときに、上記記録容量判断手段により上記第１の記録媒体には上記記録容量が残存していないと判断された場合には上記第１の記録媒体に新たな記録情報を記録させる前に、当該新たに記録情報を記録する予定の記録領域に記録された記録情報を上記第１の情報記録手段により再生させ、この再生させた記録情報を上記第２の記録媒体に記録する制御をし、
上記指定解除手段は、上記第２の情報記録手段による上記再生させた記録情報の第２の記録媒体への記録の終了後に、上記再生させた記録情報の中で上記消去禁止手段により指定された記録情報に対する消去の禁止を解除する請求項２記載の記録再生装置。
【請求項４】
上記記録日時変更手段により上記再生させた記録情報の記録日時を最新の日時に変更する請求項３記載の記録再生装置。
【請求項５】
第２の記録媒体に記録情報を記録する第２の情報記録手段と、
上記消去禁止手段により指定された記録情報に対する消去の禁止を解除する指定解除手段とを更に備え、
上記記録制御手段は、上記第１の記録媒体に新たな記録情報を記録させるときに、上記記録容量判断手段により上記第１の記録媒体には上記記録容量が残存していないと判断された場合には上記第１の記録媒体に新たな記録情報を記録させる前に、当該新たに記録情報を記録する予定の記録領域に記録されており上記消去禁止手段により指定された記録情報を上記第１の情報記録手段により再生させ、この再生させた記録情報を上記第２の記録媒体に記録する制御をし、
上記指定解除手段は、上記第２の情報記録手段による上記再生させた記録情報の第２の記録媒体への記録の終了後に、上記再生させた記録情報に対して、上記消去禁止手段により指定された消去の禁止を解除する請求項２記載の記録再生装置。
【請求項６】
上記記録制御手段は、上記記録日時変更手段により上記再生させた記録情報の記録日時を最新の日時に変更する請求項５記載の記録再生装置。
【請求項７】
上記記録情報を記録するための記録容量が上記第２の記録媒体に残存しているか否かを判断する第２の記録容量判断手段と、
上記第２の記録媒体から、記録日時が最も古い記録情報を検出する第２の最古情報検出手段とを更に備え、
上記第２の情報記録手段は、上記第２の記録媒体上の記録開始点から記録する日時順に、上記第２の記録媒体への記録日時に関する情報を付随させた記録情報を上記第２の記録媒体に記録をし、
上記記録制御手段は、上記第２の記録媒体に新たな記録情報を記録させるときに、上記第２の記録容量判断手段により上記第２の記録媒体には上記記録容量が残存していないと判断された場合には、上記第２の記録媒体上の記録日時が最も古い記録情報が記録された記録領域に、新たな記録情報を記録する制御をする請求項３記載の記録再生装置。
【請求項８】
上記記録情報を記録するための記録容量が上記第２の記録媒体に残存しているか否かを判断する第２の記録容量判断手段と、
上記第２の記録媒体から、記録日時が最も古い記録情報を検出する第２の最古情報検出手段とを更に備え、
上記第２の情報記録手段は、上記第２の記録媒体上の記録開始点から記録する日時順に、上記第２の記録媒体への記録日時に関する情報を付随させた記録情報を上記第２の記録媒体に記録をし、
上記記録制御手段は、上記第２の記録媒体に新たな記録情報を記録させるときに、上記第２の記録容量判断手段により上記第２の記録媒体には上記記録容量が残存していないと判断された場合には、上記第２の記録媒体上の記録日時が最も古い記録情報が記録された記録領域に、新たな記録情報を記録する制御をする請求項５記載の記録再生装置。
【請求項９】
上記記録制御手段は、上記第２の情報記録手段により上記再生させた記録情報の第２の記録媒体への記録が行われた記録日時を、上記記録日時変更手段により、上記第１の情報記録手段による上記第１の記録媒体への記録が行われた日時に変更する請求項７記載の記録再生装置。
【請求項１０】
上記記録制御手段は、上記第２の情報記録手段により上記再生させた記録情報の第２の記録媒体への記録が行われた記録日時を、上記記録日時変更手段により、上記第１の情報記録手段による上記第１の記録媒体への記録が行われた日時に変更する請求項８記載の記録再生装置。
【請求項１１】
上記最古情報検出手段により検出された上記記録された日時が最も古い順からの単数又は複数の記録情報の中から、上記消去禁止手段により指定された記録情報を除外した記録情報を表示する表示部を備える請求項１記載の記録再生装置。
【請求項１２】
第１の記録媒体上の記録開始点から記録する日時順に、記録日時に関する情報を付随させた記録情報を上記第１の記録媒体に記録する第１の情報記録工程と、
上記記録情報を記録するための記録容量が上記第１の記録媒体に残存しているか否かを判断する記録容量判断工程と、
上記第１の記録媒体から、記録日時が最も古い記録情報を検出する最古情報検出工程と、
上記第１の情報記録手段により上記第１の記録媒体に記録された記録情報に対する消去の回避を指定する消去回避工程と、
上記最古情報検出工程により検出された記録日時が最も古い記録情報に対して、上記消去回避工程により消去の回避が指定されているとき、当該記録情報の記録日時を最新の日時に変更する記録日時変更工程と、
上記第１の記録媒体に新たな記録情報を記録させるときに、上記記録容量判断工程において上記第１の記録媒体には上記記録容量が残存していないと判断された場合には、上記第１の記録媒体上の記録日時が最も古い記録情報が記録された記録領域に、新たな記録情報を記録する記録更新工程とを備える記録再生方法。
【請求項１３】
上記第１の情報記録工程において上記第１の記録媒体に記録された記録情報に対する消去の禁止を指定する消去禁止工程を更に備え、
上記記録更新工程では、上記消去禁止工程において指定された記録情報以外の記録情報が記録された上記第１の記録媒体上の記録領域の記録日時が最も古い記録情報が記録された記録領域に、新たな記録情報を記録する請求項１２記載の記録再生方法。
【請求項１４】
上記記録更新工程では、上記第１の記録媒体に新たな記録情報を記録させるときに、上記記録容量判断工程により上記第１の記録媒体には上記記録容量が残存していないと判断された場合には上記第１の記録媒体に新たな記録情報を記録させる前に、当該新たに記録情報を記録する予定の記録領域に記録された記録情報を再生させ、この再生させた記録情報を上記第２の記録媒体に記録する請求項１２記載の記録再生方法。
【発明の詳細な説明】
【０００１】
【発明の属する技術分野】
本発明は、例えばビデオテープレコーダやビデオディスクレコーダ等のデータを大容量に記録する記録装置を用いて情報の記録及び再生を行う記録再生装置及び記録再生方法に関するものである。
【０００２】
【従来の技術】
従来から時間的に連続した映像音声データ等のプログラムを多数記録再生する記録再生装置としては、例えば、大容量かつ安価な磁気テープを記録媒体としたビデオテープレコーダ（以下、ＶＴＲという。）や、光ディスクやＨＤＤを記録媒体としたビデオディスクレコーダ等が広く普及している。このようなＶＴＲ等の記録再生装置において、供給されたプログラムを順次記録媒体に記録し、記録容量が不足した際にどのプログラムを消去して記録媒体上の記録エリアを確保するのかは、従来ユーザの選択に一任されるものであった。
【０００３】
【発明が解決しようとする課題】
しかしながら、このような記録媒体上に記録された多数のプログラムの中から消去するプログラムを選択する行為は、ユーザにとって煩雑である。また、このようなＶＴＲ等の記録再生装置において、ユーザにより任意に選択されたプログラムを記録媒体上から消去して、この消去された記録媒体上の記録エリアに連続した映像音声データ等の記録を行うには、プログラムが記録される時間の不均一性による記録エリアの不連続性、及び、記録容量の大容量化に伴う記録媒体の長尺化によるＶＴＲのサーチ速度の遅さ等の要因から、記録アルゴリズムは概して煩雑になりがちで、映像音声データ等のファイル構造も断片的になりがちであった。
【０００４】
そこで、本発明は、このような実情に鑑みてなされたものであり、情報を記録する記録容量が不足した場合でも、操作者による操作を介さないで消去された記録媒体上の記録領域に情報が記録される記録再生装置及び記録再生方法を提供することを目的とするものである。
【０００５】
【課題を解決するための手段】
上述の目的を達成するために、本発明に係る記録再生装置は、第１の記録媒体上の記録開始点から記録する日時順に、記録日時に関する情報を付随させた記録情報を第１の記録媒体に記録する第１の情報記録手段と、記録情報を記録するための記録容量が第１の記録媒体に残存しているか否かを判断する記録容量判断手段と、第１の記録媒体から、記録日時が最も古い記録情報を検出する最古情報検出手段と、第１の情報記録手段により第１の記録媒体に記録された記録情報に対する消去の回避を指定する消去回避手段と、最古情報検出手段により検出された記録日時が最も古い記録情報に対して、消去回避手段により消去の回避が指定されているとき、当該記録情報の記録日時を最新の日時に変更する記録日時変更手段と、上記第１の記録媒体に新たな記録情報を記録させるときに、記録容量判断手段により第１の記録媒体には記録容量が残存していないと判断された場合には、第１の記録媒体上の記録日時が最も古い記録情報が記録された記録領域に、新たな記録情報を記録する制御をする記録制御手段とを備えることを特徴とする。
【０００７】
また、本発明に係る記録再生方法は、第１の記録媒体上の記録開始点から記録する日時順に、記録日時に関する情報を付随させた記録情報を第１の記録媒体に記録する第１の情報記録工程と、記録情報を記録するための記録容量が第１の記録媒体に残存しているか否かを判断する記録容量判断工程と、第１の記録媒体から、記録日時が最も古い記録情報を検出する最古情報検出工程と、第１の情報記録手段により第１の記録媒体に記録された記録情報に対する消去の回避を指定する消去回避工程と、最古情報検出工程により検出された記録日時が最も古い記録情報に対して、消去回避工程により消去の回避が指定されているとき、当該記録情報の記録日時を最新の日時に変更する記録日時変更工程と、第１の記録媒体に新たな記録情報を記録させるときに、上記記録容量判断工程において上記第１の記録媒体には上記記録容量が残存していないと判断された場合には、第１の記録媒体上の記録日時が最も古い記録情報が記録された記録領域に、新たな記録情報を記録する記録更新工程とを備えることを特徴とする。
【０００９】
【発明の実施の形態】
以下、本発明を適用した実施の形態について、図面を参照しながら説明する。
【００１０】
本発明を適用した実施の形態である記録再生装置を図１に示す。
【００１１】
記録再生装置１は、この図１に示すように、中央制御部２と、データ入出力部３と、映像音声信号（以下、ＡＶ信号という。）入出力部４と、エンコーダ／デコーダ部５と、入出力情報切替スイッチ部６、タイムスタンプ付加部７と、バッファメモリ８と、データテープレコーダ（以下、ＤＴＲという。）９と、バッファメモリ１０と、ハードディスクドライブ（以下、ＨＤＤという。）１１と、タイムスタンプ検出部１２と、タイムスタンプ検出部１３と、同期切替スイッチ部１４とを備える。
【００１２】
中央制御部２は、例えばＣＰＵ（Central Processing Unit）であり、図示しないメモリから各回路の制御を行うためのプログラムを読み込み、この読み込んだプログラムに基づいて制御を行う。
【００１３】
具体的には、中央制御部２は、記録再生装置１が起動すると同時に起動し、入出力情報切替スイッチ部６に供給される情報の種類に応じて、入出力情報切替スイッチ部６のスイッチを切り替えるように制御する制御情報（以下、情報切替制御情報という。）を、この入出力情報切替スイッチ部６に供給する。
【００１４】
例えば、中央制御部２は、入出力情報切替スイッチ部６がデータ入出力部３からデータを供給される場合には、入出力情報切替スイッチ部６のスイッチをデータ入出力部３側である端子６ａに切り替える情報切替制御情報を、この入出力情報切替スイッチ部６に供給する。一方、中央制御部２は、入出力情報切替スイッチ部６がＡＶ信号入出力部４からエンコーダ／デコーダ部５を介してＡＶ信号を供給される場合には、入出力情報切替スイッチ部６のスイッチをＡＶ信号入出力部４側である端子６ｂに切り替える情報切替制御情報を、この入出力情報切替スイッチ部６に供給する。
【００１５】
また、中央制御部２は、入出力情報切替スイッチ部６が同期切替スイッチ部１４からデータを供給される場合には、入出力情報切替スイッチ部６のスイッチを端子６ａに切り替える情報切替制御情報を、この入出力情報切替スイッチ部６に供給する。一方、中央制御部２は、入出力情報切替スイッチ部６が同期切替スイッチ部１４からＡＶ信号を供給される場合には、入出力情報切替スイッチ部６のスイッチを端子６ｂに切り替える情報切替制御情報を、この入出力情報切替スイッチ部６に供給する。
【００１６】
さらに、中央制御部２は、バッファメモリ８及びバッファメモリ１０がデータ入出力部３又はＡＶ信号入出力部４から入出力情報切替スイッチ部６を介して供給されたデータ又はＡＶ信号からなる情報（以下、プログラムという。）を、どのくらいの情報量の割合でＤＴＲ９又はＨＤＤ１１に分割配分して記録するのかを判断し、この判断した結果である制御情報（以下、分割配分制御情報という。）を、バッファメモリ８及びバッファメモリ１０に供給する。
【００１７】
例えば、中央制御部２は、バッファメモリ８及びバッファメモリ１０がタイムスタンプ付加部７からタイムスタンプ情報が付加されたプログラムを供給された場合には、ユーザにより入力される指定されたプログラム（以下、指定プログラムという。）を再生するように制御する制御情報（以下、指定プログラム再生制御情報という。）が供給された際にＤＴＲ９が磁気テープ上の指定プログラムへアクセスする為に必要な最大の時間以上の再生時間分の情報（以下、アクセス情報という。）をＨＤＤ１１の磁気ディスク上へ記録させ、それ以降の再生時間分の情報をＤＴＲ９に磁気テープ上へ記録させる分割配分制御情報を、バッファメモリ８及びバッファメモリ１０に供給する。
【００１８】
そして、バッファメモリ１０は、中央制御部２から供給された分割配分制御情報に基づいて、アクセス情報を、磁気ディスク上へ記録させるために、ＨＤＤ１１に供給する。また、バッファメモリ８は、中央制御部２から供給された分割配分制御情報に基づいて、上記アクセス情報以降の再生時間分の情報（以下、アクセス以降情報という。）を、磁気テープ上へ記録させるために、ＤＴＲ９に供給する。
【００１９】
このように、中央制御部２は、バッファメモリ８及びバッファメモリ１０がタイムスタンプ付加部７からタイムスタンプ情報が付加されたプログラムを供給される度に、分割配分制御情報をバッファメモリ８及びバッファメモリ１０に供給する。こうすることにより、磁気ディスク上には、複数のプログラム分のアクセス情報が記録され、磁気テープ上には、複数のプログラム分のアクセス以降情報が記録される。
【００２０】
また、磁気ディスク及び磁気テープから再生されたプログラムを繋ぎ合わせてシームレスに再生するため、磁気ディスクに記録される各プログラムのアクセス情報及び磁気テープに記録される各プログラムのアクセス以降情報には、それぞれ同じ情報が重複して記録されるオーバーラップ部分を有していても良い。さらに、ここでは、ＤＴＲ９は、磁気ディスクに記録されるアクセス情報を磁気テープに記録していないが、アクセス情報も磁気テープに記録するようにして、各プログラムの最初からの全ての情報を磁気テープに記録するようにしても良い。さらにまた、アクセス情報の情報量は、ＤＴＲ９の記録用の磁気ヘッドが供給されたプログラムの記録を予定する磁気テープ上の位置までの頭出しのサーチを行う時間分以上の情報量である。
【００２１】
さらにまた、中央制御部２は、バッファメモリ８に、タイムスタンプ付加部７から供給されて一時記憶したプログラムをＤＴＲ９に供給させ、ＤＴＲ９に、このバッファメモリ８から供給されたプログラムを磁気テープに記録させる制御情報（以下、テープ記録制御情報という。）を、バッファメモリ８及びＤＴＲ９に供給する。具体的には、中央制御部２は、テープ記録制御情報をバッファメモリ８に供給することにより、このバッファメモリ８に、タイムスタンプ付加部７から連続的に供給されて一時記憶したプログラムを、ＤＴＲ９に供給させる。そして、同時的に、中央制御部２は、テープ記録制御情報をＤＴＲ９に供給することにより、このＤＴＲ９に、バッファメモリ８から供給されたプログラムを、磁気テープに記録させる。
【００２２】
また、中央制御部２は、バッファメモリ１０に、タイムスタンプ付加部７から供給されて一時記憶したプログラムをＨＤＤ１１に供給させ、ＨＤＤ１１に、このバッファメモリ１０から供給されたプログラムを磁気ディスクに記録させる制御情報（以下、ディスク記録制御情報という。）を、バッファメモリ１０及びＨＤＤ１１に供給する。具体的には、中央制御部２は、ディスク記録制御情報をバッファメモリ１０に供給することにより、このバッファメモリ１０に、タイムスタンプ付加部７から連続的に供給されて一時記憶したプログラムを、ＤＴＲ９に供給させる。そして、同時的に、中央制御部２は、ディスク記録制御情報をＨＤＤ１１に供給することにより、このＨＤＤ１１に、バッファメモリ１０から供給されたプログラムを、磁気ディスクに記録させる。
【００２３】
なお、中央制御部２は、ＤＴＲ９がバッファメモリ８から供給されたプログラムを磁気テープに記録する場合に、この時のＤＴＲ９の記録用の磁気ヘッドが供給されたプログラムの記録を予定する磁気テープ上の位置と異なるときには、その記録予定の位置まで頭出しのサーチをさせる制御情報（以下、頭出サーチ制御情報という。）を、ＤＴＲ９に供給する。ＤＴＲ９は、この供給された頭出サーチ制御情報に基づいて、上記記録予定の位置まで頭出しのサーチを行う。そして、同時的に、中央制御部２は、バッファメモリ１０から供給された上記プログラムのアクセス情報を磁気ディスクに記録させるディスク記録制御情報を、ＨＤＤ１１に供給する。ＨＤＤ１１は、この供給されたディスク記録制御情報に基づいて、上記プログラムのアクセス情報を磁気ディスクに記録する。
【００２４】
また、ここでは、中央制御部２は、バッファメモリ１０又はＨＤＤ１１に、タイムスタンプ付加部７から供給されたプログラムを蓄積又は記録させているが、ＤＴＲ９により磁気テープから再生されたプログラムを蓄積又は記録させるようにしてもよい。
【００２５】
さらにまた、中央制御部２は、指定プログラム再生制御情報が供給されると、ＨＤＤ１１に、磁気ディスク上に記録された指定プログラムのアクセス情報を当該磁気ディスクから瞬時に再生させて、この再生させたアクセス情報（以下、ディスク再生アクセス情報という。）をバッファメモリ１０に供給させ、バッファメモリ１０に、このＨＤＤ１１から供給されたディスク再生アクセス情報をタイムスタンプ検出部１３に供給させる制御情報（以下、ディスク再生制御情報という。）を、ＨＤＤ１１及びバッファメモリ１０に供給する。
【００２６】
具体的には、中央制御部２は、ＨＤＤ１１が磁気ディスクにプログラムを記録したときと同じ時間間隔になるように、タイムスタンプ検出部１３から供給されるタイムスタンプ情報に基づいてディスク再生制御情報をＨＤＤ１１に供給することにより、このＨＤＤ１１に、磁気ディスクから指定プログラムのアクセス情報を再生させ、この再生させたディスク再生アクセス情報をバッファメモリ１０に供給させる。そして、中央制御部２は、ディスク再生制御情報をバッファメモリ１０に供給することにより、このバッファメモリ１０に、ＨＤＤ１１から供給されたディスク再生アクセス情報を連続的にタイムスタンプ検出部１３に供給させる。そして、同時的に、中央制御部２は、磁気テープ上に記録されたアクセス以降情報を当該磁気テープから再生させるために、上記磁気テープ上の指定プログラムへのサーチを開始させる制御情報（以下、サーチ開始制御情報という。）を、ＤＴＲ９に供給する。
【００２７】
また、中央制御部２は、ＨＤＤ１１に、バッファメモリ８に蓄積されたＤＴＲ９により磁気テープから再生されたが未だタイムスタンプ検出部１２に供給されていない、即ち、未だデータ入出力部３又はＡＶ信号入出力部４に出力されていない所定のプログラムの情報（以下、未出力情報という。）を、バッファメモリ１０を介してバッファメモリ８から取得させ、磁気ディスクに記録させる。
【００２８】
さらにまた、中央制御部２は、ＨＤＤ１１に、上記磁気ディスクから再生させた指定プログラムのアクセス情報をバッファメモリ１０へ供給させ、このバッファメモリ１０に、ＨＤＤ１１から供給された指定プログラムのアクセス情報を連続的にタイムスタンプ検出部１３へ供給させながら、同時的に、ＨＤＤ１１に、上記未出力情報の磁気ディスクへの記録を行わせる制御情報（以下、再生記録制御情報という。）を、ＨＤＤ１１及びバッファメモリ１０に供給する。なお、中央制御部２は、バッファメモリ１０に、アクセス情報を連続的にタイムスタンプ検出部１３へ供給させながら、同時的に、ＨＤＤ１１に、未出力情報の磁気ディスクへの記録を行わせているが、ＨＤＤ１１による磁気ディスクからのアクセス情報の再生が終了するまでであれば、同時的でなく時分割で、ＨＤＤ１１に、未出力情報の磁気ディスクへの記録を行わせてもよい。
【００２９】
続いて、中央制御部２は、上記磁気テープ上の指定プログラムへのサーチが終了したら、ＤＴＲ９に、そのサーチした磁気テープ上の位置からアクセス以降情報の再生させて、この再生させたアクセス以降情報（以下、テープ再生アクセス以降情報という。）をバッファメモリ８に供給させ、バッファメモリ８に、このＤＴＲ９から供給されたテープ再生アクセス以降情報をタイムスタンプ検出部１２に供給させる制御情報（以下、テープ再生制御情報という。）を、ＤＴＲ９及びバッファメモリ８に供給する。
【００３０】
具体的には、中央制御部２は、磁気テープ上の指定プログラムへのサーチが終了したら、ＤＴＲ９が磁気テープにプログラムを記録したときと同じ時間間隔になるように、タイムスタンプ検出部１２から供給されるタイムスタンプ情報に基づいてテープ再生制御情報をＤＴＲ９に供給することにより、このＤＴＲ９に、磁気テープからテープ再生アクセス以降情報を再生させ、この再生させたテープ再生アクセス以降情報をバッファメモリ８に供給させる。そして、中央制御部２は、テープ再生制御情報をバッファメモリ８に供給することにより、このバッファメモリ８に、ＤＴＲ９から供給されたテープ再生アクセス以降情報を連続的にタイムスタンプ検出部１２に供給させる。
【００３１】
この場合、ＤＴＲ９により磁気テープから再生されたプログラムである未出力情報は、上述したＨＤＤ１１により再生されたプログラムとＤＴＲ９により再生されたプログラムとのオーバーラップの時間内にバッファメモリ８に蓄積されてもよいし、バッファメモリ８がタイムスタンプ検出部１２に供給する情報の転送速度よりも高速にＤＴＲ９が磁気テープからプログラムを再生することによりできた空き時間内にバッファメモリ８に蓄積されてもよい。または、ＤＴＲ９により磁気テープから再生されたプログラムである未出力情報は、磁気テープからの読み出しに必要な時間分だけ磁気テープからの再生の開始を遅らせたり、ＤＴＲ９による磁気テープへのサーチの開始のタイミングを遅らせたりすることによりできた空き時間内に、バッファメモリ８に蓄積されてもよい。
【００３２】
なお、上記磁気テープ上の指定プログラムへのサーチは、その指定プログラムが初めて再生されるプログラムであればアクセス情報の再生中にアクセス情報以降のアクセス以降情報にサーチされ、その指定プログラムが何回か再生されて全てが未だ再生されていない未出力情報のあるプログラムであれば、そのプログラムの未出力情報の再生中に前回途中で再生が中止された位置以降のアクセス以降情報にサーチされるものである。
【００３３】
さらにまた、中央制御部２は、タイムスタンプ検出部１２及びタイムスタンプ検出部１３から供給される各タイムスタンプ情報に基づいて、同期切替スイッチ部１４のスイッチを切り替えるように制御する制御情報（以下、同期切替制御情報という。）を、この同期切替スイッチ部１４に供給する。
【００３４】
具体的には、中央制御部２は、タイムスタンプ検出部１２及びタイムスタンプ検出部１３から供給される各タイムスタンプ情報に基づいて、タイムスタンプ検出部１２及びタイムスタンプ検出部１３のそれぞれから同期切替スイッチ部１４に供給される各指定プログラムの情報が同一であるか否かを判断し、同一であると判断した場合には、同期切替スイッチ部１４から入出力情報切替スイッチ部６に供給される各指定プログラムの情報がシームレスに切り替えられるように、同期切替制御情報を同期切替スイッチ部１４に供給する。
【００３５】
例えば、まず、中央制御部２は、高速にアクセスできるＨＤＤ１１からディスク再生指定プログラムが供給されるタイムスタンプ検出部１３からのディスク再生指定プログラムを入出力情報切替スイッチ部６に供給するために、タイムスタンプ検出部１３側である端子１４ｂにスイッチを切り替える切替制御情報を、同期切替スイッチ部１４に供給する。同期切替スイッチ部１４は、この供給された切替制御情報に応じて、スイッチを端子１４ｂに切り替える。そして、同期切替スイッチ部１４は、同期切替制御情報を供給されるまで、タイムスタンプ検出部１３から供給されるディスク再生指定プログラムを入出力情報切替スイッチ部６に供給し続ける。
【００３６】
次に、中央制御部２は、タイムスタンプ検出部１２及びタイムスタンプ検出部１３から供給される各タイムスタンプ情報に基づいて、タイムスタンプ検出部１２及びタイムスタンプ検出部１３のそれぞれから同期切替スイッチ部１４に供給されるテープ再生指定プログラム及びディスク再生指定プログラムの各情報の同期が取れているか否か、即ち、同期切替スイッチ部１４に供給される各情報が同一であるか否かを判断し、同一であると判断した場合には、同期切替スイッチ部１４から入出力情報切替スイッチ部６に供給される情報がシームレスに切り替えられるように、タイムスタンプ検出部１２側である端子１４ａにスイッチを切り替える同期切替制御情報を、同期切替スイッチ部１４に供給する。同期切替スイッチ部１４は、この供給された同期切替制御情報に応じて、スイッチを端子１４ａに切り替える。
【００３７】
さらにまた、中央制御部２は、ＤＴＲ９がバッファメモリ８から供給されたプログラムの磁気テープへの記録を磁気テープ上の先頭の位置から記録日時順に行わせるように制御する制御情報（以下、日時順記録制御情報という。）をバッファメモリ８及びＤＴＲ９に供給する。バッファメモリ８は後述するようにＦＩＦＯ（First In First Out）であるので、ＤＴＲ９は、中央制御部２から供給された日時順記録制御情報に基づいて、バッファメモリ８から供給されたプログラムを磁気テープ上の先頭の位置から記録日時順に磁気テープ上へ記録する。そして、ＤＴＲ９は、バッファメモリ８から供給されたプログラムを磁気テープ上の最後尾の位置まで記録した後は、磁気テープ上の先頭の位置まで磁気テープを巻き戻し、再びこの先頭の位置からプログラムを記録日時順に記録する。また、中央制御部２は、新たに供給されたプログラムを記録するための記録容量が、例えば磁気テープに残存しているか否かを判断する。さらに、中央制御部２は、例えば磁気テープに記録された複数のプログラムの中から、記録された日時が最も古い順からの単数又は複数のプログラムを検出する。
【００３８】
ここで、磁気テープ上の先頭の位置からのプログラムの記録が２回目以降である場合には、中央制御部２は、新たに供給されたプログラムを記録するための記録容量が磁気テープには残存していないと判断するので、ＤＴＲ９に、前回に記録したプログラムを消去、又は前回に記録したプログラムの上から重ね書きを行うことにより、新しいプログラムへの更新を行わせる。同時に、ＨＤＤ１１上の対応するプログラムのアクセス情報及び未出力情報も同様に消去又は前回に記録したプログラムの上から重ね書きを行うことにより、新しいプログラムへの更新を行わせる。以後、中央制御部２は、磁気テープに記録された複数のプログラムの中から、記録された日時が最も古いプログラムを検出し、ＤＴＲ９に、常に、磁気テープに記録された日時が一番古いプログラムが記録されている磁気テープ上の記録領域に最新のプログラムを記録させることにより、プログラムの更新を行わせる。同時に、ＨＤＤ１１上の一番古いプログラムに対応するアクセス情報及び未出力情報も磁気ディスクから消去する。こうすることにより、磁気テープに記録されるプログラムの分断を防止し、ＤＴＲ９による磁気テープ上の目的とする位置へのサーチや、バッファメモリ８，１０等を考慮した記録アルゴリズムを簡素化することができる。また、ユーザは、記録指定だけ行えば良く、消去される情報の選択を行う必要がなくなる。
【００３９】
但し、単純に記録日時の一番古いプログラムから順に消去していくのでは、未出力のプログラムや保存を目的としたプログラムまでが無作為に消去されてしまう恐れがある。そこで、中央制御部２は、次回に消去される予定のプログラムに関する情報を、図示しないディスプレイ等に表示させる。こうすることにより、消去される前に優先的に消去予定のプログラムを再生することや、磁気ディスク等の他の記録媒体に保存することができる。なお、中央制御部２が図示しないディスプレイ等に消去予定のプログラムを消去優先順に複数表示させることにより、時間的に余裕をもたせることができる。また、上記次回に消去される予定のプログラムに関する情報には、例えば、プログラムの記録日時、プログラムの再生の有無、ユーザのコメント等が含まれる。
【００４０】
データ入出力部３は、外部から入力されたデータを、入出力情報切替スイッチ部６の端子６ａに供給する。また、データ入出力部３は、入出力情報切替スイッチ部６のスイッチを介して端子６ａから供給されたデータを、外部に出力する。
【００４１】
ＡＶ信号入出力部４は、外部から入力されたＡＶ信号を、エンコーダ／デコーダ部５に供給する。また、ＡＶ信号入出力部４は、入出力情報切替スイッチ部６の端子６ｂからエンコーダ／デコーダ部５を介して供給されたＡＶ信号を、外部に出力する。
【００４２】
エンコーダ／デコーダ部５は、ＡＶ信号入出力部４から供給されたＡＶ信号を記録用のフォーマットに変換し、この変換したＡＶ信号を入出力情報切替スイッチ部６の端子６ｂに供給するエンコーダと、ＤＴＲ９又はＨＤＤ１１で再生された再生情報であるＡＶ信号が入出力情報切替スイッチ部６のスイッチを介して端子６ｂから供給され、この供給されたＡＶ信号を外部へ出力するためのＡＶ信号に変換し、この変換したＡＶ信号をＡＶ信号入出力部４に供給するデコーダとを備える。
【００４３】
具体的には、上記エンコーダは、ＡＶ信号入出力部４から供給されたビデオ信号及びオーディオ信号をそれぞれ圧縮処理し、この圧縮処理したビデオ信号及びオーディオ信号を入出力情報切替スイッチ部６の端子６ｂに供給する。また、上記デコーダは、ＤＴＲ９又はＨＤＤ１１で再生された再生情報であるＡＶ信号が入出力情報切替スイッチ部６のスイッチを介して端子６ｂから供給され、この供給されたＡＶ信号をビデオ信号とオーディオ信号とに分離する。そして、デコーダは、この分離したビデオ信号とオーディオ信号とをそれぞれ伸張処理し、この伸張処理したビデオ信号及びオーディオ信号をＡＶ信号入出力部４に供給する。
【００４４】
入出力情報切替スイッチ部６は、中央制御部２から供給された情報切替制御情報に応じて、スイッチを端子６ａ又は端子６ｂに切り替える。
【００４５】
具体的には、入出力情報切替スイッチ部６は、データ入出力部３からデータを供給される場合には、中央制御部２から供給された情報切替制御情報に応じて、スイッチを端子６ａに切り替える。一方、入出力情報切替スイッチ部６は、ＡＶ信号入出力部４からエンコーダ／デコーダ部５を介してＡＶ信号を供給される場合には、中央制御部２から供給された情報切替制御情報に応じて、スイッチを端子６ｂに切り替える。
【００４６】
タイムスタンプ付加部７は、図示しないタイマ装置から供給された基準時間に対する絶対時間を示すタイムスタンプ情報を、入出力情報切替スイッチ部６から供給されたプログラムに付加する。このタイムスタンプ付加部７が入出力情報切替スイッチ部６から供給されたプログラムにタイムスタンプ情報を付加するのは、ＤＴＲ９又はＨＤＤ１１により再生された情報（以下、再生情報という。）をデコードする場合には、この再生情報のパケットデータの到着時刻そのものが必要になるが、この再生情報には磁気テープの走行むら等に起因した時間軸変動が含まれていて、再生情報をそのまま映像モニタに出力すると現れる画面の横揺れや色度の変動等を防止するためである。即ち、入出力情報切替スイッチ部６から供給された情報にタイムスタンプ情報を付加することにより、時間軸の補正をかけることができる。よって、デコード時に、このタイムスタンプ情報を参照して、各パケットデータ毎の本来の到着時刻に合わせて再生すれば、画面の横揺れや色度の変動等がない映像音声を再生することができる。
【００４７】
なお、タイムスタンプ情報としては、図示しないタイマ装置が示す絶対時間そのものを用いても、また、特定の時点からの相対時間を用いても、さらに、前パケットデータの到着時点からの時間間隔値を用いてもよく、いずれの場合でも再生時のパケットデータの到着時刻を容易に復元できる。
【００４８】
バッファメモリ８は、例えばＤＴＲ等のテープ装置専用のＦＩＦＯ（First In First Out）であり、タイムスタンプ付加部７から供給されたタイムスタンプ情報が付加されたプログラムを一時的に記憶する。そして、バッファメモリ８は、中央制御部２からテープ記録制御情報を供給されると、この供給されたテープ記録制御情報に基づいて、記憶しているプログラムをＤＴＲ９に供給する。
【００４９】
また、バッファメモリ８は、ＤＴＲ９により磁気テープから再生されたテープ再生指定プログラムをＤＴＲ９から供給されると、この供給されたテープ再生指定プログラムを一時的に記憶する。そして、バッファメモリ８は、テープ再生制御情報を中央制御部２から供給されると、この供給されたテープ再生制御情報に基づいて記憶しているテープ再生指定プログラムをタイムスタンプ検出部１２に供給する。
【００５０】
このように、バッファメモリ８が、タイムスタンプ付加部７から供給されたタイムスタンプ情報が付加されたプログラムを一時的に記憶することにより、時間軸補正を行ってＤＴＲ９にプログラムを記録することができる。また、バッファメモリ８が、ＤＴＲ９から供給された当該ＤＴＲ９により磁気テープから再生されたテープ再生指定プログラムを一時的に記憶することにより、時間軸補正を行ってタイムスタンプ検出部１２にテープ再生指定プログラムを供給することができる。
【００５１】
ＤＴＲ９は、例えばＤ−ＶＨＳ規格に準処したテープ装置であり、バッファメモリ８から供給されたプログラムを磁気テープに記録、又は当該磁気テープから情報を再生し、この再生したテープ再生指定プログラムをバッファメモリ８に供給する。
【００５２】
具体的には、ＤＴＲ９は、中央制御部２からのテープ記録制御情報に基づいて、タイムスタンプ情報が付与されたプログラムをバッファメモリ８から供給され、この供給されたプログラムを磁気テープに記録する。また、ＤＴＲ９は、中央制御部２からのテープ記録制御情報に基づいて、磁気テープから再生したテープ再生指定プログラムをバッファメモリ８に供給する。
【００５３】
ここで、ＤＴＲ９は、タイムスタンプ付加部７からバッファメモリ８を介して供給された各プログラムの全てのプログラムを、磁気テープに記録している。なお、ＤＴＲ９は、タイムスタンプ付加部７からバッファメモリ８を介して供給された各プログラムのプログラムを、全てではなく、ＨＤＤ１１により再生される冒頭部分以降のみ磁気テープに記録していてもよい。
【００５４】
なお、例えばＤ−ＶＨＳ規格に準処したＤＴＲ９は、標準で１３．８Ｍｂｐｓ（メガビット／秒）のデータレートでディジタルデータの記録再生を行い、ＶＨＳ規格のＶＴＲ（ビデオテープレコーダ）と同様の機構を使用し、磁気テープを磁気ヘッドで斜めに走査してデータを記録及び／又は再生する。また、ここで用いられている磁気テープは、磁気ディスクより記録容量が大きく、単位データ量当たりのコストが磁気ディスクよりも安価であるが、アクセス時間が長いものである。
【００５５】
バッファメモリ１０は、例えばＨＤＤ等のディスクドライブ専用のＦＩＦＯであり、タイムスタンプ付加部７から供給されたタイムスタンプが付加されたプログラムを一時的に記憶する。そして、バッファメモリ１０は、ディスク記録制御情報を中央制御部２から供給されると、この供給されたディスク記録制御情報に基づいて、記憶しているプログラムをＨＤＤ１１に供給する。
【００５６】
また、バッファメモリ１０は、ＨＤＤ１１により磁気ディスクから再生されたディスク再生指定プログラムをＨＤＤ１１から供給されると、この供給されたディスク再生指定プログラムを一時的に記憶する。そして、バッファメモリ１０は、タイムスタンプ検出部１３にディスク再生指定プログラムを供給するように制御するディスク再生制御情報を中央制御部２から供給されると、この供給されたディスク再生制御情報に基づいて記憶しているディスク再生指定プログラムをタイムスタンプ検出部１３に供給する。
【００５７】
このように、バッファメモリ１０が、タイムスタンプ付加部７から供給されたタイムスタンプ情報が付加されたプログラムを一時的に記憶することにより、時間軸補正を行ってＨＤＤ１１にプログラムを記録することができる。また、バッファメモリ８が、ＨＤＤ１１から供給された当該ＨＤＤ１１により磁気ディスクから再生されたディスク再生指定プログラムを一時的に記憶することにより、時間軸補正を行ってタイムスタンプ検出部１３にディスク再生指定プログラムを供給することができる。
【００５８】
ＨＤＤ１１は、例えば磁気ディスクであるハードディスク等のランダムアクセス可能な記録媒体の任意の記録領域にアクセスして、当該任意の記録領域に情報を記録又は当該任意の記録領域から情報を再生する。
【００５９】
具体的には、ＨＤＤ１１は、中央制御部２からのディスク記録制御情報に基づいて、タイムスタンプ情報が付与されたプログラムをバッファメモリ１０から供給され、この供給されたプログラムを磁気ディスクに記録する。また、ＨＤＤ１１は、中央制御部２からのディスク記録制御情報に基づいて、磁気ディスクから再生したディスク再生指定プログラムをバッファメモリ１０に供給する。
【００６０】
また、ＨＤＤ１１は、ＤＴＲ９が磁気テープから再生した各プログラムの冒頭部分の再生情報を、バッファメモリ８とバッファメモリ１０とを介して、予め磁気ディスクに記録している。なお、ＨＤＤ１１は、ＤＴＲ９が磁気テープから再生したものではなくて、タイムスタンプ付加部７から直接供給された各プログラムの冒頭部分の再生情報を、予め磁気ディスクに記録していてもよい。
【００６１】
タイムスタンプ検出部１２は、ＤＴＲ９により磁気テープから再生されたテープ再生指定プログラムをバッファメモリ８から供給されると、この供給されたテープ再生指定プログラムに含まれるタイムスタンプ情報を検出し、この検出したタイムスタンプ情報を中央制御部２に供給する。
【００６２】
タイムスタンプ検出部１３は、ＨＤＤ１１により磁気ディスクから再生されたディスク再生指定プログラムをバッファメモリ１０から供給されると、この供給されたディスク再生指定プログラムに含まれるタイムスタンプ情報を検出し、この検出したタイムスタンプ情報を中央制御部２に供給する。
【００６３】
同期切替スイッチ部１４は、中央制御部２から供給される同期切替制御情報に応じて、ＤＴＲ９及びＨＤＤ１１により再生された再生情報により得られる映像及び音声がシームレスに繋がれるように、スイッチを切り替える。
【００６４】
具体的には、タイムスタンプ検出部１３からのディスク再生指定プログラムを入出力情報切替スイッチ部６に供給するために、端子１４ｂにスイッチを切り替える切替制御情報を中央制御部２から供給された場合には、同期切替スイッチ部１４は、この供給された切替制御情報に応じて、スイッチを端子１４ｂに切り替える。そして、同期切替スイッチ部１４は、同期切替制御情報を供給されるまで、タイムスタンプ検出部１３から供給されるディスク再生指定プログラムを入出力情報切替スイッチ部６に供給し続ける。
【００６５】
また、入出力情報切替スイッチ部６に供給される再生情報がシームレスに切り替えられるように、端子１４ａにスイッチを切り替える同期切替制御情報を中央制御部２から供給された場合には、同期切替スイッチ部１４は、この供給された同期切替制御情報に応じて、スイッチを端子１４ａに切り替える。
【００６６】
以上のように構成された記録再生装置１では、中央制御部２は、日時順記録制御情報をＤＴＲ９に供給することにより、このＤＴＲ９に、バッファメモリ８から供給されたプログラムを、磁気テープ上の先頭の位置から記録日時順に磁気テープ上へ記録させる。そして、新たなプログラムを記録する記録領域が残存していない磁気テープに当該プログラムを記録する場合には、中央制御部２は、ＤＴＲ９に、磁気テープに記録されたプログラムの中で記録された日時が最も古い順からの単数又は複数のプログラムであり、消去禁止の指定がされていないプログラムが記録されている記録領域へ、新しいプログラムを記録させる。
【００６７】
このように処理されることにより、ユーザによる設定動作等の簡略化が図られ、操作性を向上することができる。
【００６８】
つぎに、記録再生装置１に供給されたプログラムを記録日時順にＤＴＲ９の磁気テープに記録する処理の一例について図２を参照して説明する。
【００６９】
先ず、ステップＳ１において、中央制御部２は、バッファメモリ８及びバッファメモリ１０にタイムスタンプ付加部７からプログラムＡが新たに供給されたことを認識すると、バッファメモリ１０に、このプログラムＡのアクセス情報をＨＤＤ１１に供給させる。
【００７０】
次のステップＳ２において、ＨＤＤ１１は、バッファメモリ１０から供給されたプログラムＡのアクセス情報を磁気ディスクに記録する。
【００７１】
次のステップＳ３において、中央制御部２は、磁気テープに記録された複数のプログラムの中から、記録された日時が最も古いプログラムを検出し、この検出したプログラムの磁気テープ上のアドレスを認識する。
【００７２】
次のステップＳ４において、中央制御部２は、記録された日時が最も古いプログラムが消去回避が指定されているか否かを判定する。中央制御部２は、消去回避が指定されているときには、ステップＳ３で検出されたプログラムの記録日時を現在の日時に変更して、再度ステップＳ３に戻る（ステップＳ５）。
【００７３】
ステップＳ４において、ステップＳ３で検出されたプログラムに消去回避が指定されていないと判定したときには、中央制御部２は、ステップＳ３で検出されたプログラムの頭出し位置に磁気ヘッドをサーチするようにＤＴＲ９を制御する（ステップＳ６）。
【００７４】
次に、中央制御部２は、ＤＴＲ９により磁気ヘッドがプログラムの頭出し位置に配置されてサーチが完了したら（ステップＳ７）、ステップＳ１で供給されたプログラムＡの冒頭部分以降を磁気テープに記録するようにＤＴＲ９を制御する（ステップＳ８）。
【００７５】
更に、ＨＤＤ１１によりステップＳ８で消去されたプログラムの磁気ディスク上のアクセス情報を消去する（ステップＳ９）。
【００７６】
これにより、記録再生装置１では、記録された日時が最も古いプログラムであって、消去される予定のプログラムに消去回避の指定をすることにより、ステップＳ４で消去回避が指定されていると判定して、消去回避の指定をしたプログラムの記録日時を現在の日時に変更して、最新の記録日時とすることができ、その時点で消去される順番を最後とすることができる。したがって、この記録再生装置１では、回避指定をすることにより、一時的に消去を回避することが可能となる。
【００７７】
ここで、記録再生装置１により消去回避の指定がされたプログラムは、磁気テープ内の記録に伴うプログラムの消去が一巡し、再度記録された日時が最も古いプログラムとして認識された際に再度消去予定対象となる。
【００７８】
記録再生装置１による消去回避指定の設定は、記録された日時が最も古いプログラムから順に連続して消去回避を指定できるものとし、中央制御部２からその旨の信号をＤＴＲ９に供給することで実現される。すなわち、記録日時順に磁気テープ上へプログラムを連続して記録するために、プログラムに記録の回避を指定する場合には、次に記録する予定の磁気テープ上の記録領域から所定の連続した記録領域しか指定できないものとする。
【００７９】
これにより、記録再生装置１は、ランダムに記録回避のポイントを設定することにより、次に記録される位置が分断化されることを防止することができる。
【００８０】
なお、上述の説明では、磁気テープを備えたＤＴＲ９を主記憶装置として説明したが、ＤＴＲ９に代えて、複数の光ディスクと、複数の光ディスクを交換するチェンジャ機構を備えた光ディスク記録装置も使用可能である。このような光ディスク記録装置を用いた場合であっても、上述の処理を行うことにより、光ディスクのディスク交換を含めてアクセス速度の向上等を図ることができる。
【００８１】
つぎに、供給されたプログラムを記録日時順に上記光ディスク記録装置の光ディスクに記録する処理の一例について図３を参照して説明する。ここで、光ディスク記録装置は、ＨＤＤ１１の磁気ディスクに対するアクセス時間と比較して長いアクセス時間を要するものとする。
【００８２】
図３によれば、先ず、ステップＳ１１において、中央制御部２は、バッファメモリ８及びバッファメモリ１０にタイムスタンプ付加部７からプログラムＡが新たに供給されたことを認識すると、バッファメモリ１０に、このプログラムＡのアクセス情報をＨＤＤ１１に供給させる。
【００８３】
次のステップＳ１２において、ＨＤＤ１１は、バッファメモリ１０から供給されたプログラムＡのアクセス情報を磁気ディスクに記録する。
【００８４】
次のステップＳ１３において、中央制御部２は、光ディスク記録装置の光ディスクに記録された複数のプログラムの中から、記録された日時が最も古いプログラムを検出し、この検出したプログラムの光ディスク上のアドレスを認識する。
【００８５】
次のステップＳ１４において、中央制御部２は、記録された日時が最も古いプログラムが消去回避が指定されているか否かを判定する。中央制御部２は、消去回避が指定されているときには、ステップＳ１３で検出されたプログラムの記録日時を現在の日時に変更して、再度ステップＳ１３に戻る（ステップＳ１５）。
【００８６】
ステップＳ１４において、ステップＳ１３で検出されたプログラムに消去回避が指定されていないと判定したときには、中央制御部２は、ステップＳ１３で検出されたプログラムに消去禁止の指定がされているか否かを判定し（ステップＳ１６）、消去禁止の指定がされていると判定したときにはステップＳ１３で検出されたプログラムを検索対象から除外する処理をしてステップＳ１３に戻る（ステップＳ１７）。
【００８７】
一方、ステップＳ１６において、ステップＳ１３で検出されたプログラムに消去禁止の指定がされていないと判定したときには、中央制御部２は、ステップＳ１３で検出されたプログラムの頭出し位置に光学ピックアップをサーチするように光ディスク記録装置を制御する（ステップＳ１８）。
【００８８】
次に、中央制御部２は、光ディスク記録装置により光学ピックアップがプログラムの頭出し位置に配置されてサーチが完了したら（ステップＳ１９）、ステップＳ１１で供給されたプログラムＡの冒頭部分以降を光ディスクに記録するように光ディスク記録装置を制御する（ステップＳ２０）。更に、ＨＤＤ１１によりステップＳ２０で消去されたプログラムの磁気ディスク上のアクセス情報を消去する（ステップＳ２１）。
【００８９】
したがって、このような処理をする中央制御部２を備えた記録再生装置１によれば、主記憶装置をＤＴＲ９に代えて光ディスク記録装置を用いた場合であっても、上述の図２に示した処理をする場合と同様に、記録された日時が最も古いプログラムであって、消去される予定のプログラムに消去回避の指定をすることにより、ステップＳ１４で消去回避が指定されていると判定して、消去回避の指定をしたプログラムの記録日時を現在の日時に変更して、最新の記録日時とすることができ、その時点で消去される順番を最後とすることができる。
【００９０】
更に、上述の記録再生装置１によれば、光ディスク記録装置の光ディスクに記録されているプログラムについて消去禁止の指定がされているときには、最古のプログラムを検索する処理対象から除外するので、記録日時が最古のプログラムであっても、他のプログラムにより消去することを防止することができる。
【００９１】
ここで、上述したように磁気テープにプログラムを供給するときと比較して、光ディスクにプログラムを記録する場合は、同一光ディスク内のプログラムの記録再生位置の変更（サーチ）を高速に行うことが可能であるので、記録位置の分断化をある程度許容することができる。したがって、光ディスクにプログラムを記録した場合の消去回避の設定は、記録日時に関わらず任意に設定することができるとともに、消去禁止の指定がされたプログラムを含めることができる。
【００９２】
つまり、光ディスクにプログラムを記録する記録再生装置１によれば、高速に記録再生位置にサーチすることができるので、一時的な記録回避に加え恒久的な消去禁止の設定をすることもできる。これは、ユーザにより消去禁止の設定が解除されるまでは消去禁止を保持するものであり、中央制御部２は、消去禁止の設定がされていないプログラムのみを対象に記録日時の最も古いプログラムから順に消去し新たに供給されたプログラムを光ディスクに記録させることができる。
【００９３】
なお、図３に示した処理では、中央制御部２により消去回避及び消去禁止の指定の双方が存在するか否かを判定する一例について説明したが、消去回避と消去禁止のいずれか一方を選択的に行っても良い。
【００９４】
つぎに、ＤＴＲ９の磁気テープに記録されたプログラムに消去禁止の設定がされたことに応じてＨＤＤ１１の磁気ディスクに複製する処理の一例について図４及び図５を参照して説明する。ここで、図４及び図５に示す処理において、磁気テープ及び磁気ディスクの双方は、記録日時の古い順にプログラムが消去され新たに供給されたプログラムが記録されるものとする。
【００９５】
図４によれば、先ず、中央制御部２は、磁気テープに記録されたプログラムについて消去禁止指定が設定された消去禁止プログラムが存在するか否かを判定し（ステップＳ３１）、消去禁止プログラムが存在すると判定したときには、ＨＤＤ１１の磁気ディスクに消去禁止プログラムを記録するための空き容量が存在するか否かを判定する（ステップＳ３２）。中央制御部２は、消去禁止プログラムの設定がされていないときには後述の図５に示すステップＳ４３の処理に進む。
【００９６】
中央制御部２は、ステップＳ３１において消去禁止プログラムが存在すると判定したときには消去禁止プログラムの頭出し位置にサーチするようにＤＴＲ９を制御し（ステップＳ３６）、頭出し位置へのサーチが完了したら、ステップＳ３５に進む（ステップＳ３７）。
【００９７】
また、中央制御部２は、ステップＳ３２の処理で磁気ディスクに空き容量が存在すると判定したときには、空き容量が存在する領域の先頭にサーチするようにＨＤＤ１１を制御し（ステップＳ３３）、ＨＤＤ１１内の磁気ディスクが空き容量が存在する領域の先頭にサーチしたと判定したら、ステップＳ３５の処理に進む（ステップＳ３４）。
【００９８】
一方、中央制御部２は、ステップＳ３２の処理で磁気ディスクに空き容量が存在しないと判定したときには、ＨＤＤ１１内の記録日時が最古のプログラム及びそのプログラムの磁気ディスク上のアドレスを認識し（ステップＳ３８）、認識したアドレスにサーチするようにＨＤＤ１１を制御し（ステップＳ３９）、サーチが完了したら、ステップＳ３５の処理に進む（ステップＳ４０）。
【００９９】
ステップＳ３５において、中央制御部２は、磁気テープに記録された消去禁止プログラムを読み出すようにＤＴＲ９を制御し、磁気ディスクに記録するように、ＨＤＤ１１を制御する。このとき、中央制御部２は、ステップＳ３７でサーチした頭出し位置から消去禁止プログラムを読み出すようにＤＴＲ９を制御し、ステップＳ３４でサーチした磁気ディスクの空き容量が存在する領域、又は、ステップＳ４０でサーチした最古のプログラムが存在するアドレスから消去禁止プログラムを記録するようにＨＤＤ１１を制御して、図５のステップＳ４１に進む。
【０１００】
次に、中央制御部２は、消去禁止プログラムの記録が終了したか否かを判定しし、記録が終了したら（ステップＳ４１）、磁気テープに記録された消去禁止プログラムの消去禁止指定を解除する処理をする（ステップＳ４２）。
【０１０１】
次に、中央制御部２は、新たに記録するプログラムＡが供給されたか否かを判定し（ステップＳ４３）、プログラムＡが供給されていないと判定したときには図４のステップＳ３１に戻り、プログラムＡが供給されたと判定したときにはステップＳ４４に進む。
【０１０２】
ステップＳ４４において、中央制御部２は、プログラムＡのアクセス情報を磁気ディスクに記録するようにＨＤＤ１１を制御する。ここで、アクセス情報を記録する磁気ディスクと、上述のステップＳ３５で消去禁止プログラムを記録する磁気ディスクとは、別の磁気ディスクであっても良い。
【０１０３】
次に、中央制御部２は、磁気テープに記録された複数のプログラムの中から、記録された日時が最も古いプログラムを検出し、この検出したプログラムの磁気テープ上のアドレスを認識し（ステップＳ４５）、認識したアドレスにサーチするようにＤＴＲ９を制御し（ステップＳ４６）、サーチが完了したら（ステップＳ４７）、プログラムＡの冒頭部分以降を磁気テープに記録するようにＤＴＲ９を制御し（ステップＳ４８）、更にステップＳ３５又はステップＳ４８により磁気ディスクに記録されずに消去されたプログラムのアクセス情報を磁気ディスクから消去するようにＨＤＤ１１を制御して処理を終了する（ステップＳ４９）。
【０１０４】
このような処理を行う記録再生装置１によれば、磁気テープに記録されているプログラムのうち、ユーザにより消去禁止が指定された消去禁止プログラムを磁気テープから磁気ディスクに複製して、磁気テープに記録されていたプログラムの消去禁止を解除することができるので、磁気テープに消去禁止プログラムが複数存在して、磁気テープ内での記録領域の分断化を防止することができ、磁気テープに連続して記録日時の古いプログラムから順番に記録することができる。
【０１０５】
なお、図４に示した処理を行う記録再生装置１においては、磁気ディスクの記録容量が有限であるために、ユーザの選択により、磁気ディスクに記録した消去禁止プログラムの消去禁止解除を行っても良い。また、記録再生装置１では、磁気ディスクに記録された消去禁止プログラムの消去指定解除をユーザの選択によらず、消去禁止プログラムを記録日時の古い順に消去しても良い。この場合、記録再生装置１は、磁気ディスクに複製した消去禁止プログラムの記録日時を複製して記録した日時としても良く、更には磁気テープに記録したときの記録日時を踏襲しても良い。このような処理をする記録再生装置１によれば、新たに供給されたプログラムを磁気ディスクに記録する場合であっても、記録位置の管理を容易とすることができる。
【０１０６】
なお、上述の説明では、磁気テープを備えたＤＴＲ９を主記憶装置として説明したが、ＤＴＲ９に代えて、複数の光ディスクと、複数の光ディスクを交換するチェンジャ機構を備えた光ディスク記録装置も使用可能である。このような光ディスク記録装置を用いた場合であっても、上述の処理を行うことにより、光ディスクのディスク交換を含めてアクセス速度の向上等を図ることができる。
【０１０７】
つぎに、磁気テープに記録されたプログラムを磁気ディスクに複製し、複製したプログラムを磁気テープに最新のプログラムとして記録する処理の一例について図６及び図７を参照して説明する。
【０１０８】
図６によれば、先ず、中央制御部２は、磁気テープに記録されたプログラムについて消去禁止指定が設定された消去禁止プログラムが存在するか否かを判定する（ステップＳ５１）。中央制御部２は、消去禁止プログラムの設定がされていないときにおいて、ＤＴＲ９の動作予定が存在するか否かを判定し（ステップＳ６１）、動作予定が存在しないときにはステップＳ５１に戻り、動作予定が存在するときには予定されていた動作をするようにＤＴＲ９を制御し（ステップＳ６２）、動作を完了したと判定したら（ステップＳ６３）、ステップＳ５１に戻る。すなわち、中央制御部２は、磁気ディスクに記録したプログラムを磁気テープに記録する処理を他の動作が存在しない場合に行う。
【０１０９】
中央制御部２は、ステップＳ５１において消去禁止プログラムが存在すると判定したときには消去禁止プログラムの頭出し位置にサーチするようにＤＴＲ９を制御し（ステップＳ５６）、頭出し位置へのサーチが完了したら、ステップＳ５５に進む（ステップＳ５７）。
【０１１０】
また、中央制御部２は、ステップＳ５１の処理で消去禁止プログラムが存在すると判定したときには、ＨＤＤ１１の磁気ディスクに消去禁止プログラムを記録するための空き容量が存在するか否かを判定する（ステップＳ５２）。
【０１１１】
中央制御部２は、ステップＳ５２の処理で磁気ディスクに空き容量が存在すると判定したときには、空き容量が存在する領域の先頭にサーチするようにＨＤＤ１１を制御し（ステップＳ５３）、ＨＤＤ１１内の磁気ディスクが空き容量が存在する領域の先頭にサーチしたと判定したら、ステップＳ５５の処理に進む（ステップＳ５４）。
【０１１２】
一方、中央制御部２は、ステップＳ５２の処理で磁気ディスクに空き容量が存在しないと判定したときには、ＨＤＤ１１内の記録日時が最古のプログラム及びそのプログラムの磁気ディスク上のアドレスを認識し（ステップＳ５８）、認識したアドレスにサーチするようにＨＤＤ１１を制御し（ステップＳ５９）、サーチが完了したら、ステップＳ５５の処理に進む（ステップＳ６０）。
【０１１３】
ステップＳ５５において、中央制御部２は、磁気テープに記録された消去禁止プログラムの冒頭部分以降を読み出すようにＤＴＲ９を制御し、磁気ディスクに記録するように、ＨＤＤ１１を制御する。このとき、中央制御部２は、ステップＳ５７でサーチした頭出し位置から消去禁止プログラムの冒頭部分以降を読み出すようにＤＴＲ９を制御し、ステップＳ５４でサーチした磁気ディスクの空き容量が存在する領域、又は、ステップＳ６０でサーチした最古のプログラムが存在するアドレスから消去禁止プログラムを記録するようにＨＤＤ１１を制御して図７のステップＳ６４に進む。
【０１１４】
次に、中央制御部２は、消去禁止プログラムの記録が終了したか否かを判定しし、記録が終了したら（ステップＳ６４）、ステップＳ５８で認識されステップＳ５５で消去された最古のプログラムのアクセス情報を磁気ディスクから消去するようにＨＤＤ１１を制御し（ステップＳ６５）、磁気テープに記録された消去禁止プログラムの消去禁止指定を解除する処理をする（ステップＳ６６）。
【０１１５】
次に、中央制御部２は、ＤＴＲ９の動作予定が存在するか否かを判定し（ステップＳ６７）、動作予定が存在するときには予定されていた動作をするようにＤＴＲ９を制御し（ステップＳ６８）、動作を完了したと判定したら（ステップＳ６９）、ステップＳ６７に戻る。
【０１１６】
一方、中央制御部２は、ステップＳ６７でＤＴＲ９の動作予定が存在しないときには、磁気テープ上の記録日時が最古のプログラム及びそのプログラムの磁気テープ上のアドレスを認識し（ステップＳ７０）、認識したアドレスにサーチするようにＤＴＲ９を制御し（ステップＳ７１）、サーチが完了したら（ステップＳ７２）、ステップＳ７３に進む。
【０１１７】
また中央制御部２は、ステップＳ６７でＤＴＲ９の動作予定が存在しないと判定したときには、ステップＳ５５で複製して記録したプログラムの頭出し位置にサーチするようにＨＤＤ１１を制御し（ステップＳ７５）、サーチが完了したと判定したら（ステップＳ７６）、ステップＳ７３に進む。
【０１１８】
ステップＳ７３において、中央制御部２は、ステップＳ５５で磁気ディスクに複製して記録したプログラムを現在の記録日時で磁気テープに記録する処理をし、更にステップＳ７０で認識されステップＳ７３で消去された最古のプログラムのアクセス情報を磁気ディスクから消去する処理をし、処理を終了する。
【０１１９】
このような処理を行う記録再生装置１によれば、順次記録をしているときにおいて、消去禁止の設定がされたプログラムを検出したときには、直ちに磁気ディスクに消去禁止プログラムを複製し、磁気テープ上の消去禁止の設定を解除して、新しいプログラムを磁気テープに記録することができる。すなわち、記録再生装置１は、ステップＳ７３において磁気テープに記録するプログラムを最新の記録日時として記録し、磁気テープへの記録の連続性を保持することができるとともに消去禁止プログラムの消去を防止することができる。
【０１２０】
また、記録再生装置１によれば、ステップＳ６１〜ステップＳ６３、ステップＳ６７〜ステップＳ６９の処理を行うことで、磁気ディスクに記録された消去禁止プログラムを、磁気テープへの記録が時間的に可能になった時点で磁気テープに最新の記録日時として記録することができる。
【０１２１】
この処理において、記録再生装置１は、磁気ディスクに複製したプログラムを磁気テープに最新のプログラムとして記録が完了した時点で消去することができる。これにより、記録再生装置１は、磁気ディスクの記録容量を効率的に使用することができる。
【０１２２】
なお、上述の説明では、磁気テープを備えたＤＴＲ９を主記憶装置として説明したが、ＤＴＲ９に代えて、複数の光ディスクと、複数の光ディスクを交換するチェンジャ機構を備えた光ディスク記録装置も使用可能である。このような光ディスク記録装置を用いた場合であっても、上述の処理を行うことにより、光ディスクのディスク交換を含めてアクセス速度の向上等を図ることができる。
【０１２３】
また、中央制御部２は、一度指定された消去予定のプログラムに対する消去禁止の指定を、ユーザからの操作により解除されても良い。
【０１２４】
つぎに、記録再生装置１において、例えば、タイムスタンプ付加部７からバッファメモリ８及びバッファメモリ１０に新たなプログラムＡが供給されてから、このプログラムＡがＤＴＲ９により磁気テープに記録されるまでの一連の処理の流れを、図８に示すフローチャートに従って説明する。
【０１２５】
前提として、磁気テープ上には、新しく供給されるプログラムＡが記録できる記録領域は残されていないものとする。また、この磁気テープに記録されている各プログラムの中で、記録日時が最古のプログラムは、プログラムＢとする。
【０１２６】
まず、ステップＳ８１において、中央制御部２は、バッファメモリ８及びバッファメモリ１０がタイムスタンプ付加部７からプログラムＡを新しく供給されたことを認識すると、バッファメモリ１０に、このプログラムＡのアクセス情報をＨＤＤ１１に供給させる。
【０１２７】
次に、中央制御部２は、バッファメモリ１０から供給されたプログラムＡのアクセス情報を磁気ディスクに記録するようにＨＤＤ１１を制御する（ステップＳ８２）。
【０１２８】
次に、中央制御部２は、磁気テープに記録された複数のプログラムの中から、記録された日時が最も古いプログラムＢを検出し、この検出したプログラムＢの磁気テープ上のアドレスを認識する（ステップＳ８３）。
【０１２９】
次に、中央制御部２は、、上記認識したプログラムＢの磁気テープ上のアドレスの頭出し位置へサーチさせるようにＤＴＲ９を制御し（ステップＳ８３）、サーチが完了したら（ステップＳ８５）、ステップＳ８６に進む。
【０１３０】
次に、中央制御部２は、ＤＴＲ９によりサーチされたプログラムＢが消去禁止のプログラムであるか否かを判定し（ステップＳ８６）、ＤＴＲ９によりサーチされたプログラムＢが消去禁止のプログラムでないと判定した場合には、ステップＳ９１へ進み、ＤＴＲ９によりサーチされたプログラムＢが消去禁止のプログラムであると判定した場合には、ステップＳ８７へ進む。
【０１３１】
次に、中央制御部２は、ＤＴＲ９に、上記プログラムＢの磁気テープ上のアドレスの頭出し位置からプログラムＢを読み取らせ、この読み取らせたプログラムＢをバッファメモリ８及びバッファメモリ１０を介してＨＤＤ１１に供給させ、ＤＴＲ９から供給されたプログラムＢを磁気ディスクに記録するようにＨＤＤ１１を制御し（ステップＳ８７）、磁気ディスクへの記録が終了したと判定したら（ステップＳ８８）、プログラムＢの頭出し位置へサーチをする（ステップＳ８９）。
【０１３２】
次に、中央制御部２は、ＤＴＲ９によるプログラムＢの磁気テープ上のアドレスの頭出し位置へのサーチが完了しているか否かを判定し（ステップＳ９０）、サーチが完了したと判定したら、ステップＳ９１に進む。
【０１３３】
次に、中央制御部２は、ＤＴＲ９に、ＨＤＤ１１が磁気ディスクに記録したプログラムＡのアクセス情報以降のアクセス以降情報を、ＨＤＤ１１による磁気ディスクからの再生と合わせてシームレスにプログラムＡを再生できるように、磁気テープへ記録させる（ステップＳ９１）。
【０１３４】
以上述べたように、記録再生装置１では、新しいプログラムが記録される記録領域が残存していない磁気テープに記録される予定の当該プログラムが、ユーザによって磁気テープ上の記録される領域を指定されることなく、磁気テープに記録されたプログラムの中で記録日時が最古のプログラムが記録されていた磁気テープ上の記録領域に記録されることにより、ユーザによる設定動作等の簡略化が図られ、操作性を向上することができる。
【０１３５】
また、本発明を適用した実施の形態である記録再生装置１では、磁気テープ上のプログラムに対する消去禁止指定の設定等が簡素化されることにより、ユーザインターフェースを向上することができる。
【０１３６】
さらに、、本発明を適用した実施の形態である記録再生装置１では、磁気テープへの記録が記録日時順に連続して行われることにより、記録アルゴリズムを簡素化することができる。
【０１３７】
さらにまた、本発明を適用した実施の形態である記録再生装置１では、記録アルゴリズムを簡素化することにより、ＨＤＤ１１の記録容量を低減することができる。
【０１３８】
さらにまた、本発明を適用した実施の形態である記録再生装置１では、磁気テープ上に記録されるプログラムの分断化を防止することにより、記録及び／又は再生動作を簡素化することができる。
【０１３９】
さらにまた、本発明を適用した実施の形態である記録再生装置１では、記録及び／又は再生動作を簡素化することにより、磁気テープ上の目的とする位置へのサーチ時間を短縮化することができる。
【０１４０】
さらにまた、本発明を適用した実施の形態である記録再生装置１では、未出力情報を磁気ディスクの各プログラムのアクセス情報に一部又は全部代用し、ＤＴＲ９によるアクセス待ち時間に再生することにより、磁気ディスクの大幅な記録容量を削減することができる。
【０１４１】
さらにまた、本発明を適用した実施の形態である記録再生装置１では、ＤＴＲ９による磁気テープ上の指定プログラムへのサーチ動作の低減と、この指定プログラムへのサーチ速度の低減とにより、信頼性の向上を図ることができる。
【０１４２】
なお、上述した記録再生装置１では、テープ装置としてＤＴＲ９が用いられているが、例えば、ＶＴＲ（ビデオテープレコーダ）、磁気テープや磁気ディスクのチェンジャ、半導体メモリ、ＩＣメモリ等を用いても良い。また、上述した記録再生装置１では、記録媒体に高速かつランダムアクセス可能な記録再生装置としてＨＤＤ１１が用いられているが、例えば、半導体メモリ、ＩＣメモリ、ＶＴＲ等を用いても良い。
【０１４３】
さらに、上述した記録再生装置１では、バッファメモリ８及び／又はバッファメモリ１０の記憶容量を増加させたり、ＤＴＲ９用のバッファメモリ８とＨＤＤ１１用のバッファメモリ１０との間で情報の受け渡しを行って、バッファメモリ１０及びＨＤＤ１１もＤＴＲ９用のバッファメモリとしたりすることにより、ＤＴＲ９が行う間欠記録及び／又は再生の間隔を最長化するようにしてもよい。このようにすることにより、磁気テープへのダメージを減少させることができる。
【０１４４】
さらにまた、上述した記録再生装置１では、テープ装置であるＤＴＲ９及びディスク装置であるＨＤＤ１１が用いられているが、ＤＴＲ９のみが用いられても良い。
【０１４５】
さらにまた、上述した記録再生装置１では、中央制御部２により消去禁止とさせた磁気テープ上のプログラムが、他の磁気テープに記録された中での記録日時が最古のプログラムと磁気テープ上で隣接する場合には、次回最優先で消去してもよい。
【０１４６】
さらにまた、上述した記録再生装置１では、中央制御部２が、磁気テープ上のプログラムに対して消去禁止を指定したときを、このプログラムが磁気テープに記録された日時としても良い。
【０１４７】
【発明の効果】
本発明に係る記録再生装置及び記録再生方法によれば、新しい記録情報が記録される記録領域が残存していない記録媒体に記録される予定の当該記録情報が、操作者によって記録媒体上の記録される領域を指定されることなく、記録媒体に記録された記録情報の中で記録日時が最古の記録情報が記録されていた記録媒体上の記録領域に記録されることにより、操作者による設定動作等の簡略化が図られ、操作性を向上することができる。
【０１４８】
また、本発明に係る記録再生装置及び記録再生方法によれば、記録媒体上の記録情報に対する消去禁止指定や消去回避指定の設定等が簡素化されることにより、ユーザインターフェースを向上することができる。
特に、本発明に係る記録再生装置及び記録再生方法によれば、記録日時が最も古い記録情報に対して、消去の回避が指定されているとき、当該記録情報の記録日時を最新の日時に変更することによって、当該記録情報が消去されうる順番を最後にすることができ、記録日時が最も古い記録情報が消去されることを一時的に回避することができる。
【０１４９】
さらに、本発明に係る記録再生装置及び記録再生方法によれば、記録媒体への記録が記録日時順に連続して行われることにより、記録アルゴリズムを簡素化することができる。
【０１５０】
さらにまた、本発明に係る記録再生装置及び記録再生方法によれば、記録媒体上に記録される記録情報の分断化を防止することにより、記録及び／又は再生動作を簡素化することができる。
【０１５１】
さらにまた、本発明に係る記録再生装置及び記録再生方法によれば、記録及び／又は再生動作を簡素化することにより、記録媒体上の目的とする位置へのサーチ時間を短縮化することができる。
【図面の簡単な説明】
【図１】本発明を適用した記録再生装置の構成を示すブロック図である。
【図２】本発明を適用した記録再生装置に供給されたプログラムを記録日時順にＤＴＲの磁気テープに記録するに際して、消去回避の指定がされたプログラムをスキップする処理手順を示すフローチャートである。
【図３】本発明を適用した記録再生装置に供給されたプログラムを記録日時順に光ディスク記録装置の光ディスクに記録するに際して、消去回避の指定がされたプログラムをスキップするとともに、消去禁止の指定がされたプログラムを検索対象から除外する処理手順を示すフローチャートである。
【図４】本発明を適用した記録再生装置において、ＤＴＲの磁気テープに記録されたプログラムに消去禁止の設定がされたことに応じてＨＤＤの磁気ディスクに複製する処理手順を示すフローチャートである。
【図５】本発明を適用した記録再生装置において、ＤＴＲの磁気テープに記録されたプログラムに消去禁止の設定がされたことに応じてＨＤＤの磁気ディスクに複製する処理手順を示す他のフローチャートである。
【図６】本発明を適用した記録再生装置において、磁気テープに記録されたプログラムを磁気ディスクに複製し、複製したプログラムを磁気テープに最新のプログラムとして記録する処理手順を示すフローチャートである。
【図７】本発明を適用した記録再生装置において、磁気テープに記録されたプログラムを磁気ディスクに複製し、複製したプログラムを磁気テープに最新のプログラムとして記録する処理手順を示すフローチャートである。
【図８】本発明を適用した記録再生装置により、タイムスタンプ付加部からバッファメモリ及びバッファメモリに新たなプログラムが供給されてから、このプログラムがＤＴＲにより磁気テープに記録されるまでの処理手順を示すフローチャートである。
【符号の説明】
１  記録再生装置、２  中央制御部、３  データ入出力部、４  ＡＶ信号入出力部、５  エンコーダ／デコーダ部、６  入出力情報切替スイッチ部、７  タイムスタンプ付加部、８  バッファメモリ、９  ＤＴＲ、１０  バッファメモリ、１１  ＨＤＤ、１２  タイムスタンプ検出部、１３  タイムスタンプ検出部、１４  同期切替スイッチ部
【図１】
0004151197.tif 000002
【図２】
0004151197.tif 000003
【図３】
0004151197.tif 000004
【図４】
0004151197.tif 000005
【図５】
0004151197.tif 000006
【図６】
0004151197.tif 000007
【図７】
0004151197.tif 000008
【図８】
0004151197.tif 000009